(57)【要約】【課題】端末装置の存在範囲を適切に特定し得る新たな行動管理システムを開示する。【解決手段】携帯端末３０は、１個又は２個の装置ＩＤを受信すると、受信した１個又は２個の装置ＩＤを店舗外サーバ５０に送信する。店舗外サーバ５０は、携帯端末３０から１個の装置ＩＤ（例えば「Ｂ０１」）を含むＩＤ関係情報を受信する場合には、対応テーブル６８において、その１個の装置ＩＤ（「Ｂ０１」）に対応付けられている台番号（「Ａ０１」）を特定する。また、店舗外サーバ５０は、携帯端末３０から２個の装置ＩＤ（例えば「Ｂ０１」及び「Ｂ０２」）を含むＩＤ関係情報を受信する場合には、対応テーブル６８において、その２個の装置ＩＤに対応付けられている２個の台番号（「Ａ０１」及び「Ａ０３」）を特定し、次いで、それら２個の台番号が示す遊技台（遊技台１０ａ、１０ｃ）の間に存在する遊技台（遊技台１０ｂ）の台番号（「Ａ０２」）を特定する。【選択図】図１
2016168221.tif 000002
【特許請求の範囲】
【請求項１】
所定方向に並べて配置されている複数個のデバイスと、
前記複数個のデバイスのうちの第１のデバイスに配置されている第１の送信装置であって、第１の送信範囲内に向けて第１の識別情報を送信する前記第１の送信装置と、
前記第１のデバイスとは異なる第２のデバイスに配置されている第２の送信装置であって、第２の送信範囲内に向けて第２の識別情報を送信する前記第２の送信装置と、
ユーザが携帯する端末装置と、
端末装置と通信可能なサーバと、
を備える行動管理システムであって、
前記第１の送信範囲の一部は、前記第２の送信範囲の一部と重複しており、
前記端末装置は、
前記第１の送信範囲内であって前記第２の送信範囲と重複しない範囲内に存在する場合に、前記第１の送信装置から前記第１の識別情報を受信し、受信された前記第１の識別情報を前記サーバに送信し、
前記第２の送信範囲内であって前記第１の送信範囲と重複しない範囲内に存在する場合に、前記第２の送信装置から前記第２の識別情報を受信し、受信された前記第２の識別情報を前記サーバに送信し、
前記第１の送信範囲と前記第２の送信範囲とが重複する範囲内に存在する場合に、前記第１の送信装置から前記第１の識別情報を受信するとともに前記第２の送信装置から前記第２の識別情報を受信し、受信された前記第１の識別情報及び前記第２の識別情報を前記サーバに送信し、
前記サーバは、
前記端末装置から前記第１の識別情報を受信し、前記第２の識別情報を受信しない場合には、前記第１のデバイスの近傍の第１の存在範囲を前記端末装置の存在範囲として特定し、
前記端末装置から前記第２の識別情報を受信し、前記第１の識別情報を受信しない場合には、前記第２のデバイスの近傍の第２の存在範囲を前記端末装置の存在範囲として特定し、
前記端末装置から前記第１の識別情報と前記第２の識別情報の両方を受信する場合には、前記第１のデバイスと前記第２のデバイスの間の第３の存在範囲を前記端末装置の存在範囲として特定する、
行動管理システム。
【請求項２】
前記端末装置は、
前記第１の識別情報と前記第２の識別情報の両方を受信する場合には、前記第１の送信装置から前記第１の識別情報を受信した際の電波強度を示す第１の強度情報と、前記第２の送信装置から前記第２の識別情報を受信した際の電波強度を示す第２の強度情報と、をさらに前記サーバに送信し、
前記サーバは、
前記端末装置から、前記第１の識別情報と、前記第２の識別情報と、前記第１の強度情報と、前記第２の強度情報と、を受信する場合において、
前記第１の強度情報が示す電波強度が、前記第２の強度情報が示す電波強度よりも特定の閾値以上大きい場合には、前記第３の存在範囲のうち、前記第１のデバイス寄りの領域である第１の領域を前記端末装置の存在範囲として特定し、
前記第２の強度情報が示す電波強度が、前記第１の強度情報が示す電波強度よりも前記特定の閾値以上大きい場合には、前記第３の存在範囲のうち、前記第２のデバイス寄りの領域である第２の領域を前記端末装置の存在範囲として特定する、
請求項１に記載の行動管理システム。
【請求項３】
前記サーバは、さらに、
前記端末装置から、前記第１の識別情報と、前記第２の識別情報と、前記第１の強度情報と、前記第２の強度情報と、を受信する場合において、
前記第１の強度情報が示す電波強度と、前記第２の強度情報が示す電波強度との差が前記特定の閾値より小さい場合には、前記第３の存在範囲のうち、前記第１の領域と前記第２の領域の間の領域である第３の領域を前記端末装置の存在範囲として特定する、
請求項２に記載の行動管理システム。
【請求項４】
前記端末装置は、
前記第１の送信装置から前記第１の識別情報を受信する場合に、前記第１の識別情報を受信した時刻を示す第１の時刻情報を、前記サーバにさらに送信し、
前記第２の送信装置から前記第２の識別情報を受信する場合に、前記第２の識別情報を受信した時刻を示す第２の時刻情報を、前記サーバにさらに送信し、
前記第１の送信装置から前記第１の識別情報を受信するとともに前記第２の送信装置から前記第２の識別情報を受信する場合に、前記第１の識別情報及び前記第２の識別情報を受信した時刻を示す第３の時刻情報を、前記サーバにさらに送信し、
前記サーバは、
前記端末装置から前記第１の識別情報と前記第１の時刻情報を受信する場合には、前記第１の存在範囲を前記端末装置の存在範囲として特定するとともに、前記第１の存在範囲と前記第１の時刻情報とを対応付けてメモリに記憶させ、
前記端末装置から前記第２の識別情報と前記第２の時刻情報を受信する場合には、前記第２の存在範囲を前記端末装置の存在範囲として特定するとともに、前記第２の存在範囲と前記第２の時刻情報とを対応付けて前記メモリに記憶させ、
前記端末装置から前記第１の識別情報と前記第２の識別情報と前記第３の時刻情報を受信する場合には、前記第３の存在範囲を前記端末装置の存在範囲として特定するとともに、前記第３の存在範囲と前記第３の時刻情報とを対応付けて前記メモリに記憶させる、
請求項１から３のいずれか一項に記載の行動管理システム。
【請求項５】
前記複数個のデバイスは、前記サーバと通信可能であり、
前記サーバは、
前記複数個のデバイスのそれぞれから、当該デバイスの稼働状態に関係する稼働関係情報を受信し、
前記端末装置から前記第１の識別情報と前記第１の時刻情報とを受信する場合には、前記第１の存在範囲と、前記第１のデバイスから受信された第１の稼働関係情報と、前記第１の時刻情報とを対応付けて前記メモリに記憶させ、
前記端末装置から前記第２の識別情報と前記第２の時刻情報とを受信する場合には、前記第２の存在範囲と、前記第２のデバイスから受信された第２の稼働関係情報と、前記第２の時刻情報とを対応付けて前記メモリに記憶させ、
前記端末装置から前記第１の識別情報と前記第２の識別情報と前記第３の時刻情報とを受信する場合には、前記第３の存在範囲と、前記第１のデバイスと前記第２のデバイスとの間に存在する第３のデバイスから受信された第３の稼働関係情報と、前記第３の時刻情報と、を対応付けて前記メモリに記憶させる、
請求項４に記載の行動管理システム。
【請求項６】
前記サーバは、
前記メモリに記憶させた情報を前記端末装置に送信する、
請求項４又は５に記載の行動管理システム。
【請求項７】
前記第１のデバイスは、前記第２のデバイスとはデバイスＮ個（Ｎは１以上の整数）分離れた位置に配置されている、
請求項１から６のいずれか一項に記載の行動管理システム。
【請求項８】
前記Ｎは１である、
請求項７に記載の行動管理システム。
【請求項９】
ユーザが携帯する端末装置と通信可能なサーバであって、
前記端末装置は、第１の識別情報と第２の識別情報の少なくとも一方を受信し、受信した識別情報を前記サーバに送信する装置であり、
前記第１の識別情報は、所定方向に並べて配置されている複数個のデバイスのうちの第１のデバイスに配置されている第１の送信装置が第１の送信範囲内に送信する識別情報であり、
前記第２の識別情報は、前記第１のデバイスとは異なる第２のデバイスに配置されている第２の送信装置が第２の送信範囲内に送信する識別情報であり、
前記第１の送信範囲の一部は、前記第２の送信範囲の一部と重複しており、
前記端末装置から第１の識別情報を受信し、前記第２の識別情報を受信しない場合には、前記第１のデバイスの近傍の第１の存在範囲を前記端末装置の存在範囲として特定し、
前記端末装置から第２の識別情報を受信し、前記第１の識別情報を受信しない場合には、前記第２のデバイスの近傍の第２の存在範囲を前記端末装置の存在範囲として特定し、
前記端末装置から前記第１の識別情報と前記第２の識別情報の両方を受信する場合には、前記第１のデバイスと前記第２のデバイスの間の第３の存在範囲を前記端末装置の存在範囲として特定する、
サーバ。
【発明の詳細な説明】
【技術分野】
【０００１】
本明細書によって開示される技術は、端末装置の存在範囲を特定するための行動管理システム及びその行動管理システムで用いられるサーバに関する。
【背景技術】
【０００２】
特許文献１には、遊技場に設置された複数の遊技台のそれぞれに設けられたＩＤタグと、管理サーバと、管理サーバと通信可能な携帯リーダとを備える行動履歴管理システムが開示されている。管理サーバは、遊技台の台番号とＩＤタグのＩＤとを対応付けた対応テーブルと、遊技台毎に時刻に対応付けた遊技台情報とを記憶している。携帯リーダは、ＩＤタグからＩＤを読み取り、読み取ったＩＤと読み取り時刻とを管理サーバに出力する。管理サーバは、携帯リーダから、携帯リーダが出力するＩＤ及び読み取り時刻を取得すると、上記対応テーブルに基づいて、取得されたＩＤに対応する台番号を特定するとともに、取得された読み取り時刻における、特定された台番号の遊技台の遊技台情報を抽出し、特定された台番号及び抽出された遊技台情報を携帯リーダに出力する。携帯リーダは、管理サーバから取得した台番号及び遊技台情報を表示部に表示させる。
【先行技術文献】
【特許文献】
【０００３】
【特許文献１】特許第４２９６３２２号公報
【発明の概要】
【発明が解決しようとする課題】
【０００４】
特許文献１の行動履歴管理システムでは、遊技台に設けられたＩＤタグを携帯リーダで読み取っている。これに代えて、遊技台にＩＤタグとは異なる種類のＩＤ送信装置を備えておき、当該ＩＤ送信装置と携帯リーダとの間で、ＩＤタグ読み取りとは異なる近距離無線通信が行われる場合もある。そのような場合において、複数個のＩＤ送信装置の通信範囲が互いに重複していると、携帯リーダが、複数個のＩＤ送信装置から複数個のＩＤを受信してしまう可能性がある。そのような場合に、携帯リーダの存在範囲が適切に特定されない可能性がある。
【０００５】
本明細書では、端末装置の存在範囲を適切に特定し得る新たな行動管理システムを開示する。
【課題を解決するための手段】
【０００６】
本明細書は、行動管理システムを開示する。行動管理システムは、所定方向に並べて配置されている複数個のデバイスと、複数個のデバイスのうちの第１のデバイスに配置されている第１の送信装置であって、第１の送信範囲内に向けて第１の識別情報を送信する第１の送信装置と、第１のデバイスとは異なる第２のデバイスに配置されている第２の送信装置であって、第２の送信範囲内に向けて第２の識別情報を送信する第２の送信装置と、ユーザが携帯する端末装置と、端末装置と通信可能なサーバと、を備える。第１の送信範囲の一部は、第２の送信範囲の一部と重複している。端末装置は、第１の送信範囲内であって第２の送信範囲と重複しない範囲内に存在する場合に、第１の送信装置から第１の識別情報を受信し、受信された第１の識別情報をサーバに送信し、第２の送信範囲内であって第１の送信範囲と重複しない範囲内に存在する場合に、第２の送信装置から第２の識別情報を受信し、受信された第２の識別情報をサーバに送信し、第１の送信範囲と第２の送信範囲とが重複する範囲内に存在する場合に、第１の送信装置から第１の識別情報を受信するとともに第２の送信装置から第２の識別情報を受信し、受信された第１の識別情報及び第２の識別情報をサーバに送信する。サーバは、端末装置から第１の識別情報を受信し、第２の識別情報を受信しない場合には、第１のデバイスの近傍の第１の存在範囲を端末装置の存在範囲として特定し、端末装置から第２の識別情報を受信し、第１の識別情報を受信しない場合には、第２のデバイスの近傍の第２の存在範囲を端末装置の存在範囲として特定し、端末装置から第１の識別情報と第２の識別情報の両方を受信する場合には、第１のデバイスと第２のデバイスの間の第３の存在範囲を端末装置の存在範囲として特定する。
【０００７】
上記の行動管理システムでは、第１及び第２のデバイスには、それぞれ、第１及び第２の送信装置が配置される。サーバは、（ａ）端末装置から第１の識別情報を受信し、第２の識別情報を受信しない場合には、第１のデバイスの近傍の第１の存在範囲を端末装置の存在範囲として特定し、（ｂ）端末装置から第２の識別情報を受信し、第１の識別情報を受信しない場合には、第２のデバイスの近傍の第２の存在範囲を端末装置の存在範囲として特定し、（ｃ）端末装置から第１の識別情報と第２の識別情報の両方を受信する場合には、第１のデバイスと第２のデバイスの間の第３の存在範囲を端末装置の存在範囲として特定する。即ち、サーバは、端末装置から受信される識別情報に基づいて、端末装置の存在範囲を特定し得る。従って、上記の行動管理システムによると、端末装置の存在範囲を適切に特定し得る。
【０００８】
上記の「デバイス」は、所定方向に並べて配置される任意のデバイスを含む。例えば、「デバイス」は、遊技場の遊技台、映画館の座席、商店の商品棚、ロッカー室内のロッカー等であってもよい。また、「送信装置」は、所定の送信範囲内に識別情報を送信可能な任意の装置を含む。例えば、「送信装置」は、ＢＬＥ（Bluetooth（登録商標）Low Energyの略）方式に従って、所定の送信範囲内に識別情報を送信する装置であってもよい。「サーバ」は、１つの装置であっても、複数の装置の組み合わせであってもよい。
【０００９】
本明細書は、ユーザが携帯する端末装置と通信可能なサーバも開示する。端末装置は、第１の識別情報と第２の識別情報の少なくとも一方を受信し、受信した識別情報をサーバに送信する装置である。第１の識別情報は、所定方向に並べて配置されている複数個のデバイスのうちの第１のデバイスに配置されている第１の送信装置が第１の送信範囲内に送信する識別情報である。第２の識別情報は、第１のデバイスとは異なる第２のデバイスに配置されている第２の送信装置が第２の送信範囲内に送信する識別情報である。第１の送信範囲の一部は、第２の送信範囲の一部と重複している。端末装置から第１の識別情報を受信し、第２の識別情報を受信しない場合には、第１のデバイスの近傍の第１の存在範囲を端末装置の存在範囲として特定する。端末装置から第２の識別情報を受信し、第１の識別情報を受信しない場合には、第２のデバイスの近傍の第２の存在範囲を端末装置の存在範囲として特定する。端末装置から第１の識別情報と第２の識別情報の両方を受信する場合には、第１のデバイスと第２のデバイスの間の第３の存在範囲を端末装置の存在範囲として特定する。
【００１０】
この構成によると、複数個のデバイスのそれぞれに送信装置が配置されていない場合においても、サーバは、端末装置から受信される識別情報に基づいて、端末装置の存在範囲を特定し得る。即ち、サーバは、端末装置の存在範囲を適切に特定し得る。
【００１１】
なお、上記の行動管理システムを実現するための制御方法、コンピュータプログラム、及び、当該コンピュータプログラムを記憶するコンピュータ読取可能記録媒体も、新規で有用である。また、上記のサーバを実現するための制御方法、コンピュータプログラム、及び、当該コンピュータプログラムを記憶するコンピュータ読取可能記録媒体も、新規で有用である。
【図面の簡単な説明】
【００１２】
【図１】第１実施例の行動管理システムの概要を示す。
【図２】第１実施例のサーバの制御部が実行する管理処理のフローチャートを示す。
【図３】第２実施例の行動管理システムの概要を示す。
【図４】第２実施例のサーバの制御部が実行する管理処理のフローチャートを示す。
【図５】参考例の送信装置の概要を示す。
【発明を実施するための形態】
【００１３】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１４】
（特徴１）端末装置は、第１の識別情報と第２の識別情報の両方を受信する場合には、第１の送信装置から第１の識別情報を受信した際の電波強度を示す第１の強度情報と、第２の送信装置から第２の識別情報を受信した際の電波強度を示す第２の強度情報と、をさらにサーバに送信してもよい。サーバは、端末装置から、第１の識別情報と、第２の識別情報と、第１の強度情報と、第２の強度情報と、を受信する場合において、第１の強度情報が示す電波強度が、第２の強度情報が示す電波強度よりも特定の閾値以上大きい場合には、第３の存在範囲のうち、第１のデバイス寄りの領域である第１の領域を端末装置の存在範囲として特定し、第２の強度情報が示す電波強度が、第１の強度情報が示す電波強度よりも特定の閾値以上大きい場合には、第３の存在範囲のうち、第２のデバイス寄りの領域である第２の領域を端末装置の存在範囲として特定してもよい。この構成によると、サーバは、識別情報を受信した際の電波強度に応じて、端末装置の存在範囲をより適切に特定し得る。
【００１５】
（特徴２）サーバは、さらに、端末装置から、第１の識別情報と、第２の識別情報と、第１の強度情報と、第２の強度情報と、を受信する場合において、第１の強度情報が示す電波強度と、第２の強度情報が示す電波強度との差が特定の閾値より小さい場合には、第３の存在範囲のうち、第１の領域と第２の領域の間の領域である第３の領域を端末装置の存在範囲として特定してもよい。この構成による場合も、サーバは、識別情報を受信した際の電波強度に応じて、端末装置の存在範囲をより適切に特定し得る。
【００１６】
（特徴３）端末装置は、第１の送信装置から第１の識別情報を受信する場合に、第１の識別情報を受信した時刻を示す第１の時刻情報を、サーバにさらに送信し、第２の送信装置から第２の識別情報を受信する場合に、第２の識別情報を受信した時刻を示す第２の時刻情報を、サーバにさらに送信し、第１の送信装置から第１の識別情報を受信するとともに第２の送信装置から第２の識別情報を受信する場合に、第１の識別情報及び第２の識別情報を受信した時刻を示す第３の時刻情報を、サーバにさらに送信してもよい。サーバは、端末装置から第１の識別情報と第１の時刻情報を受信する場合には、第１の存在範囲を端末装置の存在範囲として特定するとともに、第１の存在範囲と第１の時刻情報とを対応付けてメモリに記憶させ、端末装置から第２の識別情報と第２の時刻情報を受信する場合には、第２の存在範囲を端末装置の存在範囲として特定するとともに、第２の存在範囲と第２の時刻情報とを対応付けてメモリに記憶させ、端末装置から第１の識別情報と第２の識別情報と第３の時刻情報を受信する場合には、第３の存在範囲を端末装置の存在範囲として特定するとともに、第３の存在範囲と第３の時刻情報とを対応付けてメモリに記憶させてもよい。この構成による場合、サーバは、端末装置の存在範囲と、端末装置が当該存在範囲に存在した時刻と、を対応付けて管理することができる。従って、この構成によると、端末装置を携帯するユーザの行動を適切に管理し得る。
【００１７】
（特徴４）複数個のデバイスは、サーバと通信可能であってもよい。サーバは、複数個のデバイスのそれぞれから、当該デバイスの稼働状態に関係する稼働関係情報を受信し、端末装置から第１の識別情報と第１の時刻情報とを受信する場合には、第１の存在範囲と、第１のデバイスから受信された第１の稼働関係情報と、第１の時刻情報とを対応付けてメモリに記憶させ、端末装置から第２の識別情報と第２の時刻情報とを受信する場合には、第２の存在範囲と、第２のデバイスから受信された第２の稼働関係情報と、第２の時刻情報とを対応付けてメモリに記憶させ、端末装置から第１の識別情報と第２の識別情報と第３の時刻情報とを受信する場合には、第３の存在範囲と、第１のデバイスと第２のデバイスとの間に存在する第３のデバイスから受信された第３の稼働関係情報と、第３の時刻情報と、を対応付けてメモリに記憶させてもよい。この構成による場合、サーバは、端末装置の存在範囲と、端末装置が当該存在範囲に存在した時刻と、当該存在範囲に対応するデバイスの稼働情報と、を対応付けて管理することができる。従って、この構成によると、端末装置の所有者の行動と、デバイスの稼働情報と、を対応付けて適切に管理し得る。
【００１８】
（特徴５）サーバは、メモリに記憶させた情報を端末装置に送信してもよい。この構成によると、端末装置を携帯するユーザは、自身の行動履歴を知ることができる。
【００１９】
（特徴６）第１のデバイスは、第２のデバイスとはＮ個（Ｎは１以上の整数）分離れた位置に配置されていてもよい。この構成によると、複数個のデバイスのそれぞれに送信装置が配置されていない場合においても、サーバは、端末装置の存在範囲を適切に特定し得る。
【００２０】
（特徴７）Ｎは１であってもよい。
【００２１】
（第１実施例）
図１に示す行動管理システム２は、例えば、パチンコ店等の遊技店におけるユーザの行動を管理・分析するための装置である。図１に示すように、行動管理システム２は、所定の方向に沿って並べて配置されている複数個（図１の例では５個）の遊技台１０ａ〜１０ｅと、複数個の遊技台１０ａ〜１０ｅに１個おきに（即ち遊技台１個分の間隔をあけて）配置される複数個（図１の例では３個）の送信装置２０ａ〜２０ｃと、携帯端末３０と、店舗内サーバ２５と、店舗外サーバ５０と、を備える。
【００２２】
図１の例では、５個の遊技台１０ａ〜１０ｅのみを図示しているが、実際の遊技店内には、遊技台１０ａ〜１０ｅ同様の構成を備える遊技台が複数個配置されている。同様に、図１では３個の送信装置２０ａ〜２０ｃのみを図示しているが、実際の遊技店内には、これ以外の送信装置も備えられている。ただし、その場合も、各送信装置は、複数個の遊技台に１個おきに配置される。また、図１では１個の携帯端末３０のみを図示しているが、実際の遊技店内では、複数個の携帯端末が存在している。以下、本明細書では、遊技台１０ａ〜１０ｅに代表される遊技機のことをまとめて「遊技台１０」と呼び、送信装置２０ａ〜２０ｃに代表される送信装置のことをまとめて「送信装置２０」と呼ぶ場合がある。
【００２３】
（遊技台１０の構成）
図１に示すように、各遊技台１０ａ〜１０ｅは、店舗内サーバ２５と通信可能に有線接続されている。図１の例では、各遊技台１０ａ〜１０ｅが店舗内サーバ２５と直接有線接続されている様子を示しているが、実際の遊技店内では、各遊技台１０ａ〜１０ｅと店舗内サーバ２５との間に、様々な装置（例えば、台ユニット、島ユニット、カードユニット、ＰＯＳ、計数機等のうちの少なくとも１つ）が接続されていてもよい。
【００２４】
遊技台１０は、パチンコ玉を遊技媒体とするパチンコ機と、その周辺装置（例えば、呼出ランプ、アウトメータ、サンド等）を含む装置である。変形例では、遊技台１０は、メダルを遊技媒体とするスロットマシンとその周辺装置を含む装置であってもよい。本明細書における「遊技台」は、遊技機（パチンコ機、スロットマシン等）と、呼出ランプと、アウトメータと、サンドと、のうちの少なくとも１つを含む装置と解釈できる。
【００２５】
遊技台１０ａには、遊技台１０ａを識別するための台番号「Ａ０１」が割り当てられている。同様に、遊技台１０ｂ、１０ｃ、１０ｄ、１０ｅには、それぞれ、台番号「Ａ０２」、「Ａ０３」、「Ａ０５」、「Ａ０６」が割り当てられている。なお、台番号「Ａ０４」が欠番であるのは、忌み番号（即ち４、９など）を避ける業界慣習によるものである。
【００２６】
上記の通り、各遊技台１０ａ〜１０ｅは、店舗内サーバ２５と通信可能に有線接続されている。各遊技台１０ａ〜１０ｅは、自機の稼働状態に関係する稼働情報（例えば、遊技内容に関する情報、売上に関する情報、会員カードに関する情報など）を、台番号及び時刻と対応付けて、随時店舗内サーバ２５に送信している。
【００２７】
（送信装置２０の構成）
上記の通り、３個の送信装置２０ａ〜２０ｃは、５個の遊技台１０ａ〜１０ｅに１個おきに（即ち遊技台１個分の間隔をあけて）配置されている。送信装置２０ａには、送信装置２０ａを識別するための装置ＩＤ「Ｂ０１」が割り当てられている。同様に、送信装置２０ｂ、２０ｃには、それぞれ、装置ＩＤ「Ｂ０２」、「Ｂ０３」が割り当てられている。
【００２８】
本実施例の送信装置２０は、ＢＬＥ（Bluetooth（登録商標）Low Energyの略）方式に従って、自機の送信範囲内に自機の装置ＩＤを繰り返し送信する装置である。ＢＬＥ方式とは、近距離無線通信技術であるBluetooth（登録商標）の拡張仕様の一つであり、他の近距離無線通信やＷｉＦｉ方式の無線通信に比べて低電力で通信が可能な方式である。送信装置２０は、随時自機の装置ＩＤを送信する。送信装置２０は、自機の装置ＩＤを含む電波信号を出力することによって、自機の送信範囲内に装置ＩＤを繰り返し送信している。即ち、各送信装置２０の送信範囲（図１の符号１００、１２０、１４０参照）は、当該送信装置２０が出力する電波信号が届く範囲と言い換えることができる。
【００２９】
図１に示す送信範囲１００は、送信装置２０ａの装置ＩＤ（即ち「Ｂ０１」）が送信される送信範囲である。送信範囲１００は、遊技台１０ａ及び１０ｂの近傍に及んでいる。同様に、送信範囲１２０は、送信装置２０ｂの装置ＩＤ（即ち「Ｂ０２」）が送信される送信範囲である。送信範囲１２０は、遊技台１０ｂ〜１０ｄの近傍に及んでいる。同様に、送信範囲１４０は、送信装置２０ｃの装置ＩＤ（即ち「Ｂ０３」）が送信される送信範囲である。送信範囲１４０は、遊技台１０ｄ及び１０ｅの近傍に及んでいる。各送信装置２０が電波信号を出力する際の電波強度は、上記のような送信範囲１００、１２０、１４０が形成される大きさに予め調整されている。
【００３０】
送信範囲１００の一部と送信範囲１２０の一部は、遊技台１０ｂの近傍において重複している。範囲１１０は、送信範囲１００、１２０の重複範囲を示す。同様に、送信範囲１２０の一部と送信範囲１４０の一部は、遊技台１０ｄの近傍において重複している。範囲１３０は、送信範囲１２０、１４０の重複範囲を示す。また、範囲１０２は、送信範囲１００のうち、送信範囲１２０と重複しない部分（即ち、遊技台１０ａの近傍の部分）を示す。範囲１２２は、送信範囲１２０のうち、送信範囲１００、１４０と重複しない部分（即ち、遊技台１０ｃの近傍の部分）を示す。範囲１４２は、送信範囲１４０のうち、送信範囲１２０と重複しない部分（即ち、遊技台１０ｅの近傍の部分）を示す。
【００３１】
（店舗内サーバ２５の構成）
店舗内サーバ２５は、遊技店内の遊技台１０を管理するための店舗内用の管理装置である。店舗内サーバ２５は、各遊技台１０ａ〜１０ｅと有線接続されており、各遊技台１０から送信される稼働情報を受信することができる。また、店舗内サーバ２５は、インターネット４を介して、店舗外サーバ５０と通信することができる。店舗内サーバ２５は、各遊技台１０から受信した稼働情報を、インターネット４を介して、店舗外サーバ５０に随時送信している。
【００３２】
（携帯端末３０の構成）
携帯端末３０は、遊技店内のユーザが携帯する端末装置である。携帯端末３０は、例えば、携帯電話（例えばスマートフォン）、ＰＤＡ、ノートＰＣ、タブレットＰＣ、携帯型音楽再生装置、携帯型動画再生装置等の可搬型の端末装置である。携帯端末３０には、携帯端末３０を識別するための端末ＩＤ「Ｔ０１」が割り当てられている。携帯端末３０は、操作部３２と、表示部３４と、ＢＬＥインターフェース３６と、ＷｉＦｉインターフェース３８と、制御部４０と、メモリ４２と、を備える。以下では、インターフェースのことを「Ｉ／Ｆ」と表記する。
【００３３】
操作部３２は、複数のボタンを備える。ユーザは、操作部３２を操作することによって、様々な指示を携帯端末３０に与えることができる。表示部３４は、様々な情報を表示するためのディスプレイである。操作部３２と表示部３４は、タッチパネルとして一体に構成されていてもよい。ＢＬＥＩ／Ｆ３６は、上述のＢＬＥ方式に従った無線通信を実行するための無線Ｉ／Ｆである。携帯端末３０の制御部４０は、ＢＬＥＩ／Ｆ３６を介して、送信装置２０から装置ＩＤを受信することができる。無線Ｉ／Ｆ３８は、無線通信を実行するためのＩ／Ｆである。無線通信の方式は、３Ｇ、４Ｇ、ＬＴＥ、ＷｉＦｉ等、任意の方式を用いることができる。携帯端末３０の制御部４０は、無線Ｉ／Ｆ３８を介して、店舗外サーバ５０との間で各種情報の通信を実行することができる。無線Ｉ／Ｆ３８を用いた無線通信は、ＢＬＥＩ／Ｆ３６を用いた無線通信と比べて消費電力は大きいが、ＢＬＥＩ／Ｆ３６を用いた無線通信よりも大容量の情報を通信できる（即ち、無線通信の通信速度が速い）という特徴がある。また、無線Ｉ／Ｆ３８を用いた無線通信は、ＢＬＥＩ／Ｆ３６を用いた無線通信と比べて、無線通信を実行可能な最大の距離が長いという特徴もある。
【００３４】
制御部４０は、メモリ４２に記憶されているプログラム４４に従って、様々な処理を実行する。制御部４０が実行する処理の内容は後で説明する。メモリ４２は、プログラム４４を記憶している。また、メモリ４２は、制御部４０が各種処理を実行する過程で送信装置２０及び店舗外サーバ５０から受信される各種情報を記憶する記憶領域（図示しない）も備えている。
【００３５】
（店舗外サーバ５０の構成）
店舗外サーバ５０は、遊技台１０の稼働状態、送信装置２０の設定、及び、携帯端末３０を携帯するユーザの行動履歴等、１又は複数の遊技店内における各種情報を管理するための管理装置である。店舗外サーバ５０は、遊技店外に設置されている。店舗外サーバ５０は、操作部５２と、表示部５４と、有線Ｉ／Ｆ５６と、通信Ｉ／Ｆ５８と、制御部６０と、メモリ６２と、を備える。本実施例では、図１に示すように、店舗外サーバ５０は、１つの装置として図示されているが、変形例では、店舗外サーバ５０は、２以上の装置（例えば、クラウドサーバと店舗外分析サーバ）を通信可能な態様で組み合わせて構成されていてもよい。
【００３６】
操作部５２は、キーボード及びマウスを備える。店舗外サーバ５０の管理者は、操作部５２を操作することによって、様々な指示を店舗外サーバ５０に与えることができる。表示部５４は、様々な情報を表示するためのディスプレイである。有線Ｉ／Ｆ５６は、インターネット４に接続されている。店舗外サーバ５０の制御部６０は、インターネット４及び有線Ｉ／Ｆ５６を介して、店舗内サーバ２５から遊技台１０の稼働情報を受信することができる。通信Ｉ／Ｆ５８は、携帯端末３０との間で無線通信を実行するためのＩ／Ｆである。
【００３７】
制御部６０は、メモリ６２に記憶されているプログラム６４に従って、様々な処理を実行する。制御部６０が実行する処理の内容は後で説明する。メモリ６２は、プログラム６４を記憶する。また、メモリ６２は、遊技台１０から受信された稼働情報と、携帯端末３０から通信Ｉ／Ｆ５８を介して受信される各種情報と、を対応づけて記憶させるための稼働情報記憶領域６６を有している。さらに、メモリ６２は、対応テーブル６８を記憶している。対応テーブル６８は、店舗外サーバ５０の管理者によって予めメモリ６２に記憶させられている。本実施例では、対応テーブル６８は、各遊技台１０ａ〜１０ｅの台番号と、各送信装置２０ａ〜２０ｃの装置ＩＤとを対応付けた組合せ情報６８ａ〜６８ｅを含む。
【００３８】
例えば、遊技台１０ａ（台番号「Ａ０１」）には送信装置２０ａ（装置ＩＤ「Ｂ０１」）が配置されている。そのため、組合せ情報６８ａは、台番号「Ａ０１」と装置ＩＤ「Ｂ０１」を含む。一方、遊技台１０ｂ（台番号「Ａ０２」）には送信装置が配置されていない。そのため、組合せ情報６８ｂは、台番号「Ａ０２」のみを含み、装置ＩＤを含まない。同様に、組合せ情報６８ｃは、台番号「Ａ０３」と装置ＩＤ「Ｂ０２」を含む。組合せ情報６８ｄは、台番号「Ａ０５」のみを含み、装置ＩＤを含まない。組合せ情報６８ｅは、台番号「Ａ０６」と装置ＩＤ「Ｂ０３」を含む。
【００３９】
（行動管理システム２の各装置の動作）
次いで、本実施例の行動管理システム２の各装置の動作を説明する。上記の通り、各遊技台１０ａ〜１０ｅは、随時、自機の稼働情報を、台番号及び時刻と対応付けて店舗内サーバ２５に送信する。店舗内サーバ２５は、インターネット４を介して、各遊技台１０ａ〜１０ｅから受信した稼働情報と台番号を店舗外サーバ５０に送信する。店舗外サーバ５０の制御部６０は、有線Ｉ／Ｆ５６を介して、店舗内サーバ２５から稼働情報と台番号を受信すると、受信した稼働情報と台番号と時刻とをメモリ６２の稼働情報記憶領域６６に記憶させる。
【００４０】
また、各送信装置２０ａ〜２０ｃは、自機の送信範囲内に向けて、自機の装置ＩＤを繰り返し送信している。
【００４１】
携帯端末３０のユーザは、いずれかの遊技台１０の近傍に着座し、遊技を行うことができる。その場合、携帯端末３０は、少なくとも１個の送信装置２０の送信範囲内に存在することになる。そのため、携帯端末３０の制御部４０は、少なくとも１個の送信装置２０から、ＢＬＥＩ／Ｆ３６を介して、当該送信装置２０が送信する装置ＩＤを受信することができる。
【００４２】
例えば、携帯端末３０が範囲１０２内に存在する場合、携帯端末３０の制御部４０は、送信装置２０ａから装置ＩＤ「Ｂ０１」を受信する。制御部４０は、装置ＩＤ「Ｂ０１」を受信すると、装置ＩＤ「Ｂ０１」を受信した時刻を示す時刻情報を生成する。次いで、制御部４０は、無線Ｉ／Ｆ３８を介して、受信済みの装置ＩＤ「Ｂ０１」と、生成済みの時刻情報と、携帯端末３０の端末ＩＤ「Ｔ０１」と、を店舗外サーバ５０に送信する。
【００４３】
また、携帯端末３０が範囲１１０内に存在する場合、携帯端末３０の制御部４０は、送信装置２０ａから装置ＩＤ「Ｂ０１」を受信するとともに、送信装置２０ｂから装置ＩＤ「Ｂ０２」を受信する。制御部４０は、２個の装置ＩＤ「Ｂ０１」及び「Ｂ０２」を受信すると、装置ＩＤ「Ｂ０１」及び「Ｂ０２」を受信した時刻を示す時刻情報を生成する。次いで、制御部４０は、無線Ｉ／Ｆ３８を介して、受信済みの２個の装置ＩＤ「Ｂ０１」及び「Ｂ０２」と、生成済みの時刻情報と、携帯端末３０の端末ＩＤ「Ｔ０１」と、を店舗外サーバ５０に送信する。
【００４４】
即ち、制御部４０は、１個又は２個の装置ＩＤを受信すると、受信された１個又は２個の装置ＩＤと、その装置ＩＤを受信した時刻を示す時刻情報と、端末ＩＤと、を店舗外サーバ５０に送信する。以下、本実施例では、この際に制御部４０が店舗外サーバ５０に送信する装置ＩＤと、時刻情報と、端末ＩＤとをあわせて「ＩＤ関係情報」と呼ぶ場合がある。
【００４５】
店舗外サーバ５０の制御部６０は、図２の管理処理を実行している。以下、図２の管理処理の内容を説明する。Ｓ１０では、制御部６０は、携帯端末３０からＩＤ関係情報を受信することを監視する。上記の通り、携帯端末３０の制御部４０は、１個又は２個の装置ＩＤを受信すると、ＩＤ関係情報（即ち、１個又は２個の装置ＩＤと、時刻情報と、端末ＩＤ）を店舗外サーバ５０に送信する。店舗外サーバ５０の制御部６０は、通信Ｉ／Ｆ５８を介して、携帯端末３０からＩＤ関係情報を受信する。制御部６０は、携帯端末３０からＩＤ関係情報を受信すると、Ｓ１０でＹＥＳと判断し、Ｓ１２に進む。
【００４６】
Ｓ１２では、制御部６０は、受信されたＩＤ関係情報に１個の装置ＩＤが含まれているか否かを判断する。ＩＤ関係情報に１個の装置ＩＤが含まれている場合（即ち、携帯端末３０が１個の装置ＩＤを受信していた場合）、制御部６０は、Ｓ１２でＹＥＳと判断し、Ｓ１４に進む。一方、ＩＤ関係情報に２個の装置ＩＤが含まれている場合（即ち、携帯端末３０が２個の装置ＩＤを受信していた場合）、制御部６０は、Ｓ１２でＮＯと判断し、Ｓ２０に進む。
【００４７】
Ｓ１４では、制御部６０は、メモリ６２内の対応テーブル６８を参照して、１個の装置ＩＤに対応する台番号を特定する。例えば、１個の装置ＩＤが「Ｂ０１」であった場合、Ｓ１４では、制御部６０は、装置ＩＤ「Ｂ０１」に対応する台番号「Ａ０１」を特定する。Ｓ１４で特定される台番号は、携帯端末３０が存在する位置の近傍の遊技台１０の台番号である。Ｓ１４を終えると、Ｓ２４に進む。
【００４８】
Ｓ２０では、制御部６０は、メモリ６２内の対応テーブル６８を参照して、２個の装置ＩＤのそれぞれに対応する台番号を特定する。例えば、２個の装置ＩＤが「Ｂ０１」と「Ｂ０２」であった場合、Ｓ２０では、制御部６０は、装置ＩＤ「Ｂ０１」に対応する台番号「Ａ０１」と、装置ＩＤ「Ｂ０２」に対応する台番号「Ａ０３」とを特定する。
【００４９】
次いで、Ｓ２２では、制御部６０は、メモリ６２内の対応テーブル６８を参照して、Ｓ２０で特定された２個の台番号が示す２個の遊技台１０の間に存在する遊技台１０の台番号を特定する。例えば、Ｓ２０で台番号「Ａ０１」と「Ａ０３」が特定された場合、Ｓ２２では、制御部６０は、台番号「Ａ０１」と「Ａ０３」が示す遊技台１０ａ、１０ｃの間に存在する遊技台１０ｂの台番号「Ａ０２」を特定する。Ｓ２２で特定される台番号は、携帯端末３０が存在する位置の近傍の遊技台１０の台番号である。Ｓ２２を終えると、Ｓ２４に進む。
【００５０】
Ｓ２４では、制御部６０は、Ｓ１４又はＳ２２で特定された台番号と、ＩＤ関係情報に含まれる端末ＩＤと、ＩＤ関係情報に含まれる時刻情報と、Ｓ１４又はＳ２２で特定された台番号に対応する遊技台１０の稼働情報と、を対応付けてメモリ６２の稼働情報記憶領域６６に記憶させる。これにより、端末ＩＤ「Ｔ０１」が示す携帯端末３０が、時刻情報が示す時刻（例えば午前１０時１０分）において、Ｓ１４又はＳ２２で特定された台番号（例えば「Ａ０１」）が示す遊技台（例えば遊技台１０ａ）の近傍に存在していたことを示す情報が、メモリ６２に記憶されることになる。
【００５１】
Ｓ２４を終えると、制御部６０は、Ｓ１０に戻り、再び、ＩＤ関係情報を受信することを監視する。
【００５２】
また、店舗内サーバ２５の管理者は、所望のタイミングで、店舗内サーバ２５に所定の情報閲覧操作を入力することができる。情報閲覧操作が入力されると、店舗内サーバ２５は、インターネット４を介して、店舗外サーバ５０に所定の情報閲覧要求信号を送信する。店舗外サーバ５０の制御部６０は、有線Ｉ／Ｆ５６を介して、店舗内サーバ２５から情報閲覧要求信号を受信する。その場合、店舗外サーバ５０の制御部６０は、メモリ６２内の稼働情報記憶領域６６に記憶されている情報を、店舗内サーバ２５の管理者の要求に応じた種々の態様で店舗内サーバ２５の表示部に表示させる。例えば、制御部６０は、ユーザの要求に応じて、稼働情報記憶領域６６に記憶されている各種情報を、端末ＩＤ毎にソートして店舗内サーバ２５の表示部に表示させることができる。また、制御部６０は、ユーザの要求に応じて、稼働情報記憶領域６６に記憶されている各種情報を、台番号毎にソートして店舗内サーバ２５の表示部に表示させることもできる。また、制御部６０は、ユーザの要求に応じて、稼働情報記憶領域６６に記憶されている各種情報を、所定期間分毎に店舗内サーバ２５の表示部に表示させることもできる。これにより、店舗内サーバ２５の管理者は、遊技店内の遊技台１０の稼働情報、携帯端末３０を携帯するユーザの各遊技台１０における遊技状態情報など、各種情報を閲覧することができる。従って、店舗内サーバ２５の管理者は、店舗内における携帯端末３０を携帯するユーザの行動と、遊技台１０の稼働状態と、を適切に対応付けて管理することができる。
【００５３】
また、店舗外サーバ５０の管理者も、所望のタイミングで、操作部５２を操作して、所定の情報閲覧操作を入力することができる。この場合、店舗外サーバ５０の制御部６０は、メモリ６２内の稼働情報記憶領域６６に記憶されている情報を、管理者の要求に応じた種々の態様で表示部５４に表示させる。これにより、店舗外サーバ５０の管理者も、遊技店内の遊技台１０の稼働情報、携帯端末３０を携帯するユーザの各遊技台１０における遊技状態情報など、各種情報を閲覧することができる。従って、店舗外サーバ５０の管理者も、携帯端末３０を携帯するユーザの行動と、遊技台１０の稼働状態と、を適切に対応付けて管理することができる。
【００５４】
また、携帯端末３０のユーザは、所望のタイミングで、携帯端末３０の操作部３２を操作し、所定の行動履歴閲覧操作を実行することができる。行動履歴閲覧操作が実行されると、携帯端末３０の制御部４０は、携帯端末３０の端末ＩＤ（即ち「Ｔ０１」）を含む閲覧要求信号を、無線Ｉ／Ｆ３８を介して店舗外サーバ５０に送信する。
【００５５】
店舗外サーバ５０の制御部６０は、通信Ｉ／Ｆ５８を介して携帯端末３０から閲覧要求信号を受信する。制御部６０は、稼働情報記憶領域６６に記憶されている各種情報のうち、閲覧要求信号に含まれる端末ＩＤ（即ち「Ｔ０１」）が対応付けられている情報を含む行動履歴情報を生成する。制御部６０は、生成した行動履歴情報を、通信Ｉ／Ｆ５８を介して携帯端末３０に送信する。
【００５６】
携帯端末３０の制御部４０は、無線Ｉ／Ｆ３８を介して、店舗外サーバ５０から行動履歴情報を取得する。制御部４０は、行動履歴情報に含まれる情報を、表示部３４に表示させる。これにより、携帯端末３０のユーザは、自身の行動履歴（例えば、自身がどの遊技機でどの時間帯に遊技を行ったのか、その際の遊技結果など）を閲覧することができる。
【００５７】
（本実施例の作用効果）
上記の通り、本実施例では、図１に示すように、３個の送信装置２０ａ〜２０ｃは、５個の遊技台１０ａ〜１０ｅに１個おきに（即ち遊技台１個分の間隔をあけて）配置されている。遊技台１０ｂ、１０ｄには送信装置は配置されていない。携帯端末３０は、１個又は２個の装置ＩＤを受信すると、ＩＤ関係情報（即ち、１個又は２個の装置ＩＤと、時刻情報と、端末ＩＤ）を店舗外サーバ５０に送信する。店舗外サーバ５０は、携帯端末３０から１個の装置ＩＤ（例えば「Ｂ０１」）を含むＩＤ関係情報を受信する場合（図２のＳ１２でＹＥＳ）には、対応テーブル６８において、その１個の装置ＩＤ（「Ｂ０１」）に対応付けられている台番号（「Ａ０１」）を特定する（Ｓ１４）。また、店舗外サーバ５０は、携帯端末３０から２個の装置ＩＤ（例えば「Ｂ０１」及び「Ｂ０２」）を含むＩＤ関係情報を受信する場合（Ｓ１２でＮＯ）には、対応テーブル６８において、その２個の装置ＩＤに対応付けられている２個の台番号（「Ａ０１」及び「Ａ０３」）を特定し（Ｓ２０）、次いで、それら２個の台番号が示す遊技台（遊技台１０ａ、１０ｃ）の間に存在する遊技台（遊技台１０ｂ）の台番号（「Ａ０２」）を特定する。この結果、店舗外サーバ５０によって、携帯端末３０が存在する位置の近傍の遊技台１０（即ち、携帯端末３０のユーザの存在範囲）が特定される。即ち、店舗外サーバ５０は、携帯端末３０から受信されるＩＤ関係情報に基づいて、携帯端末３０の存在範囲を特定することができる。従って、本実施例の行動管理システム２によると、携帯端末３０のユーザの存在範囲を適切に特定することができる。特に、遊技台１０ａ〜１０ｅのすべてに送信装置２０が配置されていない場合においても、携帯端末３０のユーザの存在範囲を適切に特定することができる。
【００５８】
また、本実施例では、図２のＳ２４に示すように、店舗外サーバ５０は、端末ＩＤと、Ｓ１４又はＳ２２で特定した台番号と、時刻情報と、Ｓ１４又はＳ２２で特定された台番号に対応する遊技台１０の稼働情報と、を対応付けてメモリ６２に記憶させる。即ち、本実施例では、店舗外サーバ５０は、携帯端末３０の存在範囲と、携帯端末３０がその存在範囲に存在していた時刻と、当該時刻における当該存在範囲に対応する遊技台１０の稼働状態と、を対応付けて管理することができる。従って、本実施例の行動管理システム２によると、携帯端末３０のユーザの行動を適切に管理し得るとともに、携帯端末３０のユーザの行動と、遊技台１０の稼働状態と、を対応付けて適切に管理し得る。
【００５９】
また、本実施例では、店舗外サーバ５０は、携帯端末３０から閲覧要求信号を受信すると、閲覧要求信号に含まれる端末ＩＤに対応する情報を含む行動履歴情報を生成し、携帯端末３０に送信する。携帯端末３０は、行動履歴情報に含まれる情報を表示部３４に表示させる。そのため、本実施例によると、携帯端末３０のユーザは、自身の行動履歴（例えば、自身がどの遊技機でどの時間帯に遊技を行ったのか、その際の遊技結果、など）を適切に知ることができる。
【００６０】
（対応関係）
本実施例と請求項の対応関係を説明する。店舗内サーバ２５及び店舗外サーバ５０が、「サーバ」の一例である。遊技台１０ａ〜１０ｅが「複数個のデバイス」の一例である。遊技台１０ａ、遊技台１０ｃ、遊技台１０ｂが、それぞれ、「第１のデバイス」、「第２のデバイス」、「第３のデバイス」の一例である。送信装置２０ａ、２０ｂが、それぞれ、「第１の送信装置」、「第２の送信装置」の一例である。装置ＩＤ「Ｂ０１」、装置ＩＤ「Ｂ０２」が、それぞれ、「第１の識別情報」、「第２の識別情報」の一例である。送信範囲１００、送信範囲１２０が、それぞれ、「第１の送信範囲」、「第２の送信範囲」の一例である。携帯端末３０が「端末装置」の一例である。遊技台１０ａの近傍、遊技台１０ｃの近傍、遊技台１０ｂの近傍が、それぞれ、「第１の存在範囲」、「第２の存在範囲」、「第３の存在範囲」の一例である。遊技台１０が店舗内サーバ２５に送信する稼働情報が、「稼働関係情報」の一例である。
【００６１】
（第２実施例）
第１実施例とは異なる点を中心に説明する。図３は、本実施例の行動管理システム３０２の構成を示す。図３では、第１実施例と共通する構成については、図１と同様の符号を用いて示している。図３に示すように、本実施例の行動管理システム３０２では、２個の送信装置２０ａ、２０ｂが、遊技台１０ａ、１０ｅに配置されている。即ち、２個の送信装置２０ａ、２０ｂは、５個の遊技台１０ａ〜１０ｅに３個おきに（即ち遊技台３個分の間隔をあけて）配置されている。第１実施例と同様に、送信装置２０ａ、２０ｂには、それぞれ、装置ＩＤ「Ｂ０１」、「Ｂ０２」が割り当てられている。
【００６２】
図３に示す送信範囲２００は、送信装置２０ａの装置ＩＤ（即ち「Ｂ０１」）が送信される送信範囲である。送信範囲２００は、遊技台１０ａ〜１０ｄの近傍に及んでいる。同様に、送信範囲２２０は、送信装置２０ｂの装置ＩＤ（即ち「Ｂ０２」）が送信される送信範囲である。送信範囲１２０は、遊技台１０ｂ〜１０ｅの近傍に及んでいる。送信装置２０が電波信号を出力する際の電波強度は、上記のような送信範囲２００、２２０が形成される大きさに予め調整されている。
【００６３】
送信範囲２００の一部と送信範囲２２０の一部は、遊技台１０ｂ〜１０ｄの近傍において重複している。範囲２１０は、送信範囲２００、２２０の重複範囲を示す。また、範囲２０２は、送信範囲２００のうち、送信範囲２２０と重複しない部分（即ち、遊技台１０ａの近傍の部分）を示す。範囲２２２は、送信範囲２２０のうち、送信範囲２００と重複しない部分（即ち、遊技台１０ｅの近傍の部分）を示す。
【００６４】
また、本実施例では、店舗外サーバ５０のメモリ６２に記憶されている対応テーブル２６８の内容も、第１実施例（図１参照）とは異なっている。本実施例では、対応テーブル２６８は、各遊技台１０ａ〜１０ｅの台番号と、各送信装置２０ａ、２０ｂの装置ＩＤと、を対応付けた組合せ情報２６８ａ〜２６８ｅを含む。
【００６５】
例えば、遊技台１０ａ（台番号「Ａ０１」）には送信装置２０ａ（装置ＩＤ「Ｂ０１」）が配置されている。そのため、組合せ情報２６８ａは、台番号「Ａ０１」と装置ＩＤ「Ｂ０１」を含む。一方、遊技台１０ｂ（台番号「Ａ０２」）には送信装置が配置されていない。そのため、組合せ情報２６８ｂは、台番号「Ａ０２」のみを含み、装置ＩＤを含まない。同様に、組合せ情報２６８ｃ、２６８ｄも、それぞれ、台番号「Ａ０３」、「Ａ０５」のみを含み、装置ＩＤを含まない。また、組合せ情報２６８ｅは、台番号「Ａ０６」と装置ＩＤ「Ｂ０２」を含む。
【００６６】
本実施例の携帯端末３０は、第１実施例の携帯端末３０と同様の構成を備える。そのため、図３では、携帯端末３０の詳細な構成は図示していない。
【００６７】
（行動管理システム３０２の各装置の動作）
次いで、本実施例の行動管理システム３０２の各装置の動作を説明する。第１実施例と同様に、各遊技台１０ａ〜１０ｅは、随時、自機の稼働情報を、台番号及び時刻と対応付けて店舗内サーバ２５に送信する。店舗内サーバ２５は、インターネット４を介して、各遊技台１０ａ〜１０ｅから受信した稼働情報と台番号を店舗外サーバ５０に送信する。店舗外サーバ５０の制御部６０は、有線Ｉ／Ｆ５６を介して、遊技台１０から稼働情報と台番号を受信すると、受信した稼働情報と台番号と時刻とをメモリ６２の稼働情報記憶領域６６に記憶させる。
【００６８】
また、各送信装置２０ａ、２０ｂは、自機の送信範囲内に向けて、自機の装置ＩＤを繰り返し送信している。
【００６９】
携帯端末３０のユーザは、いずれかの遊技台１０の前に着座し、遊技を行うことができる。その場合、携帯端末３０は、少なくとも１個の送信装置２０の送信範囲内に存在することになる。その場合、携帯端末３０の制御部４０は、ＢＬＥＩ／Ｆ３６を介して、少なくとも１個の装置ＩＤを受信することができる。さらに、本実施例では、制御部４０は、少なくとも１個の送信装置２０から装置ＩＤを受信した際の電波強度を測定することもできる。
【００７０】
送信装置２０から装置ＩＤを受信した際の電波強度は、ＲＳＳＩ（Received Signal Strength Indicationの略）の値によって表すことができる。携帯端末３０が送信装置２０から離れるほど、測定される電波強度は小さくなる。電波強度（即ちＲＳＳＩ）は、単位ｄＢｍによって表される。以下、本実施例で説明に用いる各電波強度の値は一例に過ぎないものであって、これらの値に限定されるものではない。実際には、通信環境や送信装置２０の設定等の要因により、電波強度がこれ以外の値を示す場合もあり得る。
【００７１】
例えば、携帯端末３０が範囲２０２内に存在する場合（即ち、携帯端末３０が遊技台１０ａの近傍に存在する場合）、携帯端末３０の制御部４０は、送信装置２０ａから装置ＩＤ「Ｂ０１」を受信する。この際、制御部４０は、装置ＩＤ「Ｂ０１」を受信した際の電波強度を測定する。図３の例では、装置ＩＤ「Ｂ０１」を受信した際の電波強度は−２０ｄＢｍである。制御部４０は、装置ＩＤ「Ｂ０１」を受信した際の電波強度を示す強度情報「−２０ｄＢｍ」を生成する。制御部４０は、装置ＩＤ「Ｂ０１」と強度情報「−２０ｄＢｍ」とを対応付ける。また、制御部４０は、装置ＩＤ「Ｂ０１」を受信すると、装置ＩＤ「Ｂ０１」を受信した時刻を示す時刻情報を生成する。次いで、制御部４０は、無線Ｉ／Ｆ３８を介して、装置ＩＤ「Ｂ０１」と強度情報「−２０ｄＢｍ」の組合せと、生成済みの時刻情報と、携帯端末３０の端末ＩＤ「Ｔ０１」と、を店舗外サーバ５０に送信する。
【００７２】
また、携帯端末３０が、範囲２１０のうちの遊技台１０ｂ寄りの領域２１０ａ内に存在する場合（即ち、遊技台１０ｂの近傍に存在する場合）、制御部４０は、送信装置２０ａから装置ＩＤ「Ｂ０１」を受信するとともに、送信装置２０ｂから装置ＩＤ「Ｂ０２」を受信する。この際、制御部４０は、装置ＩＤ「Ｂ０１」を受信した際の電波強度、及び、装置ＩＤ「Ｂ０２」を受信した際の電波強度をそれぞれ測定する。図３の例では、装置ＩＤ「Ｂ０１」を受信した際の電波強度は−４０ｄＢｍであり、装置ＩＤ「Ｂ０２」を受信した際の電波強度は−８０ｄＢｍである。制御部４０は、装置ＩＤ「Ｂ０１」を受信した際の電波強度を示す強度情報「−４０ｄＢｍ」と、装置ＩＤ「Ｂ０２」を受信した際の電波強度を示す強度情報「−８０ｄＢｍ」とを生成する。制御部４０は、装置ＩＤ「Ｂ０１」と強度情報「−４０ｄＢｍ」とを対応付ける。また、制御部４０は、装置ＩＤ「Ｂ０２」と強度情報「−８０ｄＢｍ」とを対応付ける。また、制御部４０は、２個の装置ＩＤ「Ｂ０１」及び「Ｂ０２」を受信すると、装置ＩＤ「Ｂ０１」及び「Ｂ０２」を受信した時刻を示す時刻情報を生成する。次いで、制御部４０は、無線Ｉ／Ｆ３８を介して、装置ＩＤ「Ｂ０１」と強度情報「−４０ｄＢｍ」の組合せと、装置ＩＤ「Ｂ０２」と強度情報「−８０ｄＢｍ」の組合せと、生成済みの時刻情報と、携帯端末３０の端末ＩＤ「Ｔ０１」と、を店舗外サーバ５０に送信する。
【００７３】
携帯端末３０が、範囲２１０のうちの中央付近の領域２１０ｂ内に存在する場合（即ち、遊技台１０ｃの近傍に存在する場合）も、制御部４０は、装置ＩＤ「Ｂ０１」及び「Ｂ０２」を受信する。ただし、この場合、装置ＩＤ「Ｂ０１」を受信した際の電波強度は−６０ｄＢｍであり、装置ＩＤ「Ｂ０２」を受信した際の電波強度も−６０ｄＢｍである。
【００７４】
携帯端末３０が、範囲２１０のうちの遊技台１０ｄ寄りの領域２１０ｃ内に存在する場合（即ち、遊技台１０ｄの近傍に存在する場合）も、制御部４０は、装置ＩＤ「Ｂ０１」及び「Ｂ０２」を受信する。ただし、この場合、装置ＩＤ「Ｂ０１」を受信した際の電波強度は−８０ｄＢｍであり、装置ＩＤ「Ｂ０２」を受信した際の電波強度は−４０ｄＢｍである。
【００７５】
携帯端末３０が範囲２２２内に存在する場合（即ち、遊技台１０ｅの近傍に存在する場合）、制御部４０は、送信装置２０ｂから装置ＩＤ「Ｂ０２」を受信する。装置ＩＤ「Ｂ０２」を受信した際の電波強度は−２０ｄＢｍである。
【００７６】
即ち、制御部４０は、１個又は２個の装置ＩＤを受信すると、装置ＩＤと強度情報の組合せと、時刻情報と、端末ＩＤと、を店舗外サーバ５０に送信する。以下、本実施例では、この際に制御部４０が店舗外サーバ５０に送信する装置ＩＤと強度情報の組合せと、時刻情報と、端末ＩＤとをあわせて「ＩＤ関係情報」と呼ぶ場合がある。
【００７７】
本実施例では、店舗外サーバ５０の制御部６０は、図４の管理処理を実行している。以下、図４の管理処理の内容を説明する。Ｓ５０では、制御部６０は、携帯端末３０からＩＤ関係情報を受信することを監視する。制御部６０は、携帯端末３０からＩＤ関係情報を受信すると、Ｓ５０でＹＥＳと判断し、Ｓ５２に進む。
【００７８】
Ｓ５２では、制御部６０は、受信したＩＤ関係情報に１個の装置ＩＤが含まれているか否かを判断する。ＩＤ関係情報に１個の装置ＩＤが含まれている場合（即ち、携帯端末３０が１個の装置ＩＤを受信していた場合）、制御部６０は、Ｓ５２でＹＥＳと判断し、Ｓ５４に進む。一方、ＩＤ関係情報に２個の装置ＩＤが含まれている場合（即ち、携帯端末３０が２個の装置ＩＤを受信していた場合）、制御部６０は、Ｓ５２でＮＯと判断し、Ｓ６０に進む。
【００７９】
Ｓ５４では、制御部６０は、メモリ６２内の対応テーブル２６８を参照して、１個の装置ＩＤに対応する台番号を特定する。例えば、制御部６０が受信した１個の装置ＩＤが「Ｂ０１」であった場合、Ｓ５４では、制御部６０は、装置ＩＤ「Ｂ０１」に対応する台番号「Ａ０１」を特定する。Ｓ５４で特定される台番号は、携帯端末３０が存在する位置の近傍の遊技台１０の台番号である。Ｓ５４を終えると、Ｓ９０に進む。
【００８０】
Ｓ６０では、制御部６０は、メモリ６２内の対応テーブル２６８を参照して、２個の装置ＩＤのそれぞれに対応する台番号を特定する。制御部６０が受信した２個の装置ＩＤが「Ｂ０１」と「Ｂ０２」であった場合、Ｓ２０では、制御部６０は、台番号「Ａ０１」と台番号「Ａ０６」を特定する。
【００８１】
次いで、Ｓ６２では、制御部６０は、対応テーブル２６８を参照して、Ｓ６０で特定した２個の台番号が示す２個の遊技台１０の間に存在する３個の遊技台１０の台番号を特定する。例えば、Ｓ２０で台番号「Ａ０１」と「Ａ０６」が特定された場合、Ｓ６２では、制御部６０は、台番号「Ａ０１」と「Ａ０６」が示す遊技台１０ａ、１０ｅの間に存在する３個の遊技台１０ｂ、１０ｃ、１０ｄの台番号「Ａ０２」、「Ａ０３」、「Ａ０５」を特定する。
【００８２】
続くＳ６４では、制御部６０は、２個の装置ＩＤに対応付けられた２個の強度情報が示す２個の電波強度の差が２０ｄＢｍ以上であるか否かを判断する。２個の電波強度の差が２０ｄＢｍ以上である場合、制御部６０は、Ｓ６４でＹＥＳと判断し、Ｓ６６に進む。一方、２個の電波強度の差が２０ｄＢｍより小さい場合、制御部６０は、Ｓ６４でＮＯと判断し、Ｓ８０に進む。
（例１）例えば、装置ＩＤ「Ｂ０１」を受信した際の電波強度が−４０ｄＢｍであり、装置ＩＤ「Ｂ０２」を受信した際の電波強度が−８０ｄＢｍである場合、装置ＩＤ「Ｂ０１」を受信した際の電波強度が、装置ＩＤ「Ｂ０２」を受信した際の電波強度よりも４０ｄＢｍ分大きい。この場合、制御部６０は、Ｓ６４でＹＥＳと判断し、Ｓ６６に進む。
（例２）また、装置ＩＤ「Ｂ０１」を受信した際の電波強度が−６０ｄＢｍであり、装置ＩＤ「Ｂ０２」を受信した際の電波強度も−６０ｄＢｍである場合、装置ＩＤ「Ｂ０１」を受信した際の電波強度と装置ＩＤ「Ｂ０２」を受信した際の電波強度とは同じである。この場合、制御部６０は、Ｓ６４でＮＯと判断し、Ｓ８０に進む。
（例３）また、装置ＩＤ「Ｂ０１」を受信した際の電波強度が−８０ｄＢｍであり、装置ＩＤ「Ｂ０２」を受信した際の電波強度が−４０ｄＢｍである場合、装置ＩＤ「Ｂ０２」を受信した際の電波強度が、装置ＩＤ「Ｂ０１」を受信した際の電波強度よりも４０ｄＢｍ分大きい。この場合、制御部６０は、Ｓ６４でＹＥＳと判断し、Ｓ６６に進む。
【００８３】
Ｓ６６では、制御部６０は、大きい側の電波強度を示す電波情報に対応づけられている装置ＩＤを特定する。例えば、上記の例１の場合は、装置ＩＤ「Ｂ０１」を受信した際の電波強度の方が、装置ＩＤ「Ｂ０２」を受信した際の電波強度よりも大きい。そのため、Ｓ６２では、制御部６０は装置ＩＤ「Ｂ０１」を特定する。一方、上記の例３の場合は、装置ＩＤ「Ｂ０２」を受信した際の電波強度の方が大きいため、制御部６０は、装置ＩＤ「Ｂ０２」を特定する。
【００８４】
次いで、Ｓ６８では、制御部６０は、対応テーブル２６８を参照し、Ｓ６６で特定された装置ＩＤに対応する台番号を特定する。例えば、Ｓ６６で特定された装置ＩＤが「Ｂ０１」である場合、Ｓ６８では、制御部６０は台番号「Ａ０１」を特定する。一方、Ｓ６６で特定された装置ＩＤが「Ｂ０２」である場合、制御部６０は台番号「Ａ０６」を特定する。
【００８５】
次いで、Ｓ７０では、制御部６０は、対応テーブル２６８を参照し、Ｓ６２で特定された３個の台番号が示す３個の遊技台のうち、Ｓ６８で特定された台番号が示す遊技台に最も近い１個の遊技台の台番号を特定する。例えば、Ｓ６２で特定された３個の台番号が「Ａ０２」、「Ａ０３」、「Ａ０５」である場合において、Ｓ６８で特定された台番号が「Ａ０１」である場合、Ｓ７０では、制御部６０は、遊技台１０ｂの台番号「Ａ０２」を特定する。一方、Ｓ６８で特定された台番号が「Ａ０６」である場合、Ｓ７０では、制御部６０は、遊技台１０ｄの台番号「Ａ０５」を特定する。Ｓ７０で特定される台番号は、携帯端末３０が存在する位置の近傍の遊技台１０の台番号である。Ｓ７０を終えると、Ｓ９０に進む。
【００８６】
一方、Ｓ８０では、制御部６０は、Ｓ６２で特定された３個の台番号が示す３個の遊技台１０のうち、中央に位置する遊技台を示す台番号を特定する。例えば、Ｓ６２で特定された３個の台番号が「Ａ０２」、「Ａ０３」、「Ａ０５」である場合、Ｓ８０では、制御部６０は、遊技台１０ｂ、１０ｃ、１０ｄのうちの中央に位置する遊技台１０ｃを示す台番号「Ａ０３」を特定する。Ｓ８０で特定される台番号も、携帯端末３０が存在する位置の近傍の遊技台１０の台番号である。Ｓ８０を終えると、Ｓ９０に進む。
【００８７】
Ｓ９０では、制御部６０は、Ｓ５４、Ｓ７０、Ｓ８０のいずれかで特定された台番号と、ＩＤ関係情報に含まれる端末ＩＤと、ＩＤ関係情報に含まれる時刻情報と、Ｓ５４、Ｓ７０、Ｓ８０のいずれかで特定された台番号に対応する遊技台１０の稼働情報と、を対応付けてメモリ６２の稼働情報記憶領域６６に記憶させる。この結果、端末ＩＤ「Ｔ０１」が示す携帯端末３０は、時刻情報が示す時刻（例えば午前１０時１０分）において、Ｓ５４、Ｓ７０、Ｓ８０のいずれかで特定された台番号（例えば「Ａ０３」）が示す遊技台（例えば遊技台１０ｃ）の前に存在していたことを示す情報が、メモリ６２に記憶されることになる。
【００８８】
Ｓ９０を終えると、制御部６０は、Ｓ５０に戻り、再び、ＩＤ関係情報を受信することを監視する。
【００８９】
本実施例でも、店舗内サーバ２５の管理者が店舗内サーバ２５に所定の情報閲覧操作を入力する場合には、店舗内サーバ２５は、インターネット４を介して、店舗外サーバ５０に所定の情報閲覧要求信号を送信する。その場合、店舗外サーバ５０の制御部６０は、メモリ６２内の稼働情報記憶領域６６に記憶されている情報を、管理者の要求に応じた種々の態様で店舗内サーバ２５の表示部に表示させる。
【００９０】
また、本実施例でも、店舗外サーバ５０の管理者が所定の情報閲覧操作を入力する場合には、制御部６０は、メモリ６２内の稼働情報記憶領域６６に記憶されている情報を、ユーザの要求に応じた種々の態様で表示部５４に表示させる。
【００９１】
また、本実施例でも、携帯端末３０のユーザが行動履歴閲覧操作を入力する場合には、制御部４０は、携帯端末３０の端末ＩＤ（即ち「Ｔ０１」）を含む閲覧要求信号を店舗外サーバ５０に送信する。店舗外サーバ５０の制御部６０は、閲覧要求信号を受信すると、閲覧要求信号に含まれる端末ＩＤが対応付けられている情報を含む行動履歴情報を生成し、携帯端末３０に送信する。携帯端末３０の制御部４０は、店舗外サーバ５０から行動履歴情報を取得すると、行動履歴情報に含まれる情報を表示部３４に表示させる。
【００９２】
（本実施例の作用効果）
本実施例の行動管理システム３０２も、第１実施例の行動管理システム２と同様の作用効果を発揮することができる。さらに、本実施例では、上記の通り、店舗外サーバ５０は、携帯端末３０から、２個の装置ＩＤを含むＩＤ関係情報を受信する場合、２個の装置ＩＤに対応付けられている２個の強度情報を利用して、１個の台番号を特定することができる（図４のＳ６０〜Ｓ８０参照）。この結果、店舗外サーバ５０によって、携帯端末３０が存在する位置の近傍の遊技台１０（即ち、携帯端末３０のユーザの存在範囲）が特定される。従って、遊技台１０ａ〜１０ｅに対して、３個おきに送信装置２０が配置されている状況においても、店舗外サーバ５０は、携帯端末３０から受信されるＩＤ関係情報に基づいて、携帯端末３０の存在範囲を適切に特定することができる。
【００９３】
（対応関係）
本実施例と請求項の対応関係を説明する。店舗内サーバ２５及び店舗外サーバ５０が「サーバ」の一例である。遊技台１０ａ〜１０ｅが「複数個のデバイス」の一例である。遊技台１０ａ、遊技台１０ｅが、それぞれ、「第１のデバイス」、「第２のデバイス」の一例である。送信装置２０ａ、２０ｂが、それぞれ、「第１の送信装置」、「第２の送信装置」の一例である。装置ＩＤ「Ｂ０１」、装置ＩＤ「Ｂ０２」が、それぞれ、「第１の識別情報」、「第２の識別情報」の一例である。送信範囲２００、送信範囲２２０が、それぞれ、「第１の送信範囲」、「第２の送信範囲」の一例である。携帯端末３０が「端末装置」の一例である。遊技台１０ａの近傍、遊技台１０ｅの近傍が、それぞれ、「第１の存在範囲」、「第２の存在範囲」の一例である。遊技台１０ｂ〜１０ｄの近傍が、「第３の存在範囲」の一例である。遊技台１０ｂの近傍、遊技台１０ｄの近傍、遊技台１０ｃの近傍が、それぞれ、「第１の領域」、「第２の領域」、「第３の領域」の一例である。遊技台１０が店舗内サーバ２５に送信する稼働情報が、「稼働関係情報」の一例である。図４のＳ６４における２０ｄＢｍが「特定の閾値」の一例である。
【００９４】
（参考例）
本明細書で開示する行動管理システムの参考例を説明する。参考例の行動管理システムも、図１の行動管理システム２と基本的に同様の構成を備える。参考例の行動管理システムでは、送信装置２０が、遊技台１０ａ〜１０ｅのそれぞれに配置されていてもよい。参考例では、図５に示すように、送信装置２０の周囲に、遮蔽容器４００を配置している。遮蔽容器４００は、送信装置２０が出力する電波を遮へいする素材（例えば、金属等）によって形成されている。図５に示すように、遮蔽容器４００は前面４０２が開口している。即ち、この参考例では、送信装置２０は、遊技台１０の前面４０２方向にのみ電波を送信することができる。そのため、参考例では、隣り合う２個の送信装置２０の送信範囲同士が重複することはない。
【００９５】
従って、この参考例では、携帯端末３０は、どの遊技台１０の前に存在する場合であっても、１個の装置ＩＤのみを受信することができる。店舗外サーバ５０は、携帯端末３０から受信するＩＤ関連情報に含まれる１個の装置ＩＤに対応する１個の台番号を特定することができる。この参考例による場合も、店舗外サーバ５０は、携帯端末３０の存在範囲を適切に特定することができる。
【００９６】
以上、本明細書で開示する技術の実施例を詳細に説明したが、上記の実施例は例示に過ぎず、特許請求の範囲を限定するものではない。特許請求の範囲に記載の技術には、以上に例示した具体例を様々に変形、変更したものが含まれる。例えば、以下の変形例を採用してもよい。
【００９７】
（変形例１）上記の各実施例では、所定の方向に沿って並べて配置されている複数個の遊技台１０ａ〜１０ｅに、１個おき（第１実施例参照）、又は、３個おき（第２実施例参照）に送信装置２０を配置する例について説明した。送信装置が配置されるデバイスは、遊技台には限られず、所定の方向に沿って並べて配置される任意のデバイスであってもよい。例えば、送信装置が配置されるデバイスは、映画館の座席、商店の商品棚、ロッカー室内のロッカー等であってもよい。即ち、上記の各実施例で説明した行動管理システムは、遊技店に限られず、映画館、商店等、任意の施設で用いられてもよい。
【００９８】
（変形例２）上記の各実施例では、送信装置２０は、ＢＬＥ方式に従って自機の送信範囲内に装置ＩＤを送信する。これに限られず、送信装置は、ＢＬＥ方式以外の任意の方式に従って装置ＩＤを送信してもよい。また、携帯端末も、ＢＬＥ方式以外の任意の方式に従って装置ＩＤを受信してもよい。
【００９９】
（変形例３）上記の各実施例では、店舗外サーバ５０は１個の装置で構成されている。しかしながら、店舗外サーバ５０は、複数の装置の組合せによって形成されていてもよい。従って、例えば、各遊技台１０から稼働情報を受信する機能を実行する装置（いわゆるクラウドサーバ）と、上記の管理処理（図２、図４参照）を実行する装置（いわゆる分析サーバ）とが別個の装置であり、これらの装置を組み合わせることによって店舗外サーバ５０が形成されていてもよい。
【０１００】
（変形例４）上記の第２実施例では、店舗外サーバ５０の制御部６０は、携帯端末３０から２個の装置ＩＤを含むＩＤ関連情報を受信する場合に、２個の装置ＩＤに対応付けられている２個の強度情報が示す２個の電波強度の差が２０ｄＢｍ以上であるか否かを判断し（図４のＳ６４）、その結果に応じて１個の台番号を特定している（Ｓ６６〜７０、Ｓ８０）。しかしながら、Ｓ６４の判断の基準となる２個の電波強度の差の閾値は、２０ｄＢｍに限られず、任意の値であってもよい。また、Ｓ６４の判断の基準となる２個の電波強度の差の閾値は、予め定められた値に限られず、状況に応じて変動する変数であってもよい。これらの変形例における閾値も、「特定の閾値」の一例である。
【０１０１】
（変形例５）上記の第２実施例では、送信装置２０は、５個の遊技台１０ａ〜１０ｅに３個おきに（即ち遊技台３個分の間隔をあけて）配置されている。これに限られず、送信装置２０は、複数個の遊技台１０に、２個おきに配置されていてもよい。また、４個以上おきに配置されていてもよい。また、複数個の遊技台１０のそれぞれに配置されていてもよい。この場合も、店舗外サーバ５０の制御部６０は、図４の管理処理（又は図２の管理処理）を実行することによって、携帯端末３０の存在範囲を特定することができる。
【０１０２】
（変形例６）上記の第１実施例においても、第２実施例と同様に、携帯端末３０の制御部４０が、装置ＩＤを受信した際の電波強度を測定し、電波強度を示す強度情報を生成し、受信した装置ＩＤと強度情報との組合せを含むＩＤ関連情報を店舗外サーバ５０に送信するようにしてもよい。その場合も、店舗外サーバ５０の制御部６０は、図２の管理処理を実行することによって、携帯端末３０の存在範囲を特定することができる。
【０１０３】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成するものであり、そのうちの一つの目的を達成すること自体で技術的有用性を持つものである。
【符号の説明】
【０１０４】
２：行動管理システム
４：インターネット
１０ａ〜１０ｅ：遊技台
２０ａ〜２０ｃ：送信装置
２５：店舗内サーバ
３０：携帯端末
３２：操作部
３４：表示部
３６：ＢＬＥＩ／Ｆ
３８：無線Ｉ／Ｆ
４０：制御部
４２：メモリ
４４：プログラム
５０：店舗外サーバ
５２：操作部
５４：表示部
５６：有線Ｉ／Ｆ
５８：通信Ｉ／Ｆ
６０：制御部
６２：メモリ
６４：プログラム
６６：稼働情報記憶領域
６８：対応テーブル
１００：送信範囲
１２０：送信範囲
１４０：送信範囲
２００：送信範囲
２２０：送信範囲
２６８：対応テーブル
【図１】
2016168221.tif 000003
【図２】
2016168221.tif 000004
【図３】
2016168221.tif 000005
【図４】
2016168221.tif 000006
【図５】
2016168221.tif 000007